(57)【特許請求の範囲】
【請求項１】
複数の操作キーと、この操作キーの操作によって内部メモリに記憶したリモコン送信用データを電気信号として出力するマイクロコンピュータと、このマイクロコンピュータの電気信号によって赤外線信号を出力する赤外線出力手段と、所定の電圧を印加して発光素子を点灯させる駆動回路と、この駆動回路を開閉する照光スイッチからなり、上記赤外線出力手段と同等の消費電力を有し上記駆動回路に接続されたダイオードと、このダイオードと並列に接続され上記マイクロコンピュータの電気信号によって接離するスイッチング素子から構成された電圧制御回路を備えたリモコン送信機。
【請求項２】
照光スイッチをマイクロコンピュータに接続すると共に、この照光スイッチの操作によってマイクロコンピュータから電気信号を所定時間出力させ、駆動回路によって発光素子を所定時間点灯させる請求項１記載のリモコン送信機。
【発明の詳細な説明】
【０００１】
【発明の属する技術分野】
本発明は、各種電子機器を赤外線によって遠隔操作するリモコン送信機に関するものである。
【０００２】
【従来の技術】
近年、各種電子機器の高機能化や多様化に伴い、これらの操作に用いられるリモコン送信機も、暗い箇所でも操作が可能なように照明機能が付いたもの等、様々な機能を備えたものが増えている。
【０００３】
このような従来のリモコン送信機について、図４を用いて説明する。
【０００４】
図４は従来のリモコン送信機の回路図であり、同図において、１は操作釦が半透明な押釦スイッチ等の複数の操作キー、２は操作キー１に接続されたマイクロコンピュータ（以下、マイコンと記載する）で、マイコン２の内部メモリ（図示せず）には、テレビやビデオデッキ等の各種電子機器を遠隔操作するための数種類のリモコン送信用データが記憶されている。
【０００５】
そして、３はマイコン２に接続された赤外線出力手段で、駆動トランジスタ４と電流制限用の抵抗５、赤外線発光ダイオード（以下、ＬＥＤと記載する）６が直列に接続され、これに電池７が接続されている。
【０００６】
また、８は操作キー１の背面に配置された発光ダイオードやＥＬ等の発光素子、９は所定の電圧を印加して発光素子８を点灯する駆動回路で、この駆動回路９と電池７の間には、駆動回路９を開閉する照光スイッチ１０が設けられ、これらを筐体（図示せず）が覆って、リモコン送信機が構成されている。
【０００７】
以上の構成において、操作キー１のいずれかを操作すると、内部メモリに記憶されたリモコン送信用データの内、操作したキーに対応したリモコン送信用データが、マイコン２からパルス波形の電気信号として出力される。
【０００８】
そして、この電気信号が赤外線出力手段３の駆動トランジスタ４で増幅され、電気信号に応じた電流が抵抗５を介して流れることによって、ＬＥＤ６が点滅して赤外線信号が送信され、電子機器の遠隔操作が行われる。
【０００９】
また、照光スイッチ１０を操作すると、駆動回路９から所定の電圧が発光素子８に印加され、発光素子８が点灯して操作キー１を背面から照光することによって、暗い箇所でも操作キー１の操作が行い易いように構成されているものであった。
【００１０】
【発明が解決しようとする課題】
しかしながら上記従来のリモコン送信機においては、暗い箇所等で、発光素子８を点灯させたまま操作キー１を操作して機器を遠隔操作すると、ＬＥＤ６に数１００ｍＡ前後の電流が流れ、これによって電池７の電圧が降下して駆動回路９への印加電圧が低下するため、発光素子８の輝度が低下して照光がちらつき、操作キー１が見づらくなるという課題があった。
【００１１】
本発明は、このような従来の課題を解決するものであり、回路等の大幅な変更を伴うことなく、点灯中に操作キーを操作しても発光素子の輝度変化のない、操作がし易く安価なリモコン送信機を提供することを目的とする。
【００１２】
【課題を解決するための手段】
上記目的を達成するために本発明は、以下の構成を有するものである。
【００１３】
本発明の請求項１に記載の発明は、赤外線出力手段と同等の消費電力を有するダイオードと、このダイオードと並列に接続されマイコンの電気信号によって接離するスイッチング素子からなる電圧制御回路を設けてリモコン送信機を構成したものであり、ダイオードをスイッチング素子によって制御して、発光素子を点灯させる駆動回路には、操作キーの操作に関わらず常に一定の電圧が印加されるように構成されているため、回路等の大幅な変更を伴うことなく、点灯中に操作キーを操作しても発光素子の輝度変化のない、操作がし易く安価なリモコン送信機を得ることができるという作用を有する。
【００１４】
請求項２に記載の発明は、請求項１記載の発明において、照光スイッチをマイクロコンピュータに接続すると共に、この照光スイッチの操作によってマイクロコンピュータから電気信号を所定時間出力させ、駆動回路によって発光素子を所定時間点灯させるものであり、都度照光スイッチを開閉する必要がなくなるため、リモコン送信機をさらに使い勝手のよいものとすることができるという作用を有する。
【００１５】
【発明の実施の形態】
以下、本発明の実施の形態について、図１〜図３を用いて説明する。
【００１６】
なお、従来の技術の項で説明した構成と同一構成の部分には同一符号を付して、詳細な説明を省略する。
【００１７】
（実施の形態）
図１は本発明の一実施の形態によるリモコン送信機の回路図であり、同図において、１は操作釦が半透明な押釦スイッチ等の複数の操作キー、２は操作キー１に接続されたマイコンで、マイコン２の内部メモリ（図示せず）には、テレビやビデオデッキ等の各種電子機器を遠隔操作するための数種類のリモコン送信用データが記憶されている。
【００１８】
そして、３はマイコン２に接続された赤外線出力手段で、駆動トランジスタ４と電流制限用の抵抗５、ＬＥＤ６が直列に接続され、これに電池７が接続されている。
【００１９】
また、８は操作キー１の背面に配置された発光ダイオードやＥＬ等の発光素子、９は所定の電圧を印加して発光素子８を点灯する駆動回路で、この駆動回路９と電池７の間には、駆動回路９を開閉する照光スイッチ１０が設けられている。
【００２０】
さらに、１５は電圧制御回路で、赤外線出力手段３と同等の消費電力を有し駆動回路９に接続されたダイオード１６と、マイコン２の電気信号によって接離するスイッチング素子としての制御トランジスタ１７が並列に接続され、これらを筐体（図示せず）が覆って、リモコン送信機が構成されている。
【００２１】
以上の構成において、操作キー１のいずれかを操作すると、内部メモリに記憶されたリモコン送信用データの内、操作したキーに対応したリモコン送信用データが、マイコン２からパルス波形の電気信号として出力される。
【００２２】
そして、この電気信号が赤外線出力手段３の駆動トランジスタ４で増幅され、電気信号に応じた電流が抵抗５を介して流れることによって、ＬＥＤ６が点滅して赤外線信号が送信され、電子機器の遠隔操作が行われる。
【００２３】
また、照光スイッチ１０を操作すると、駆動回路９から所定の電圧が発光素子８に印加され、発光素子８が点灯して操作キー１を背面から照光するが、この時、操作キー１が操作されていない場合には、マイコン２からリモコン送信用データが電気信号として出力されていないため、制御トランジスタ１７はＯＦＦ状態となっている。
【００２４】
従って、図２の部分回路図に示すように、駆動回路９に接続されたダイオード１６に電流Ｉが流れ、このダイオード１６によって電力が消費されるため、電池７の電圧Ｖ０が降下し、駆動回路９にはこの低下した電圧Ｖ１が印加されて、発光素子８が点灯する。
【００２５】
そして、この発光素子８を点灯させたまま操作キー１を操作した場合には、マイコン２からリモコン送信用データが電気信号として出力され、赤外線出力手段３のＬＥＤ６が点滅するため、通常では電池７の電圧はさらに低下するが、この時、マイコン２の電気信号によって制御トランジスタ１７がＯＮ状態となる。
【００２６】
このため、電圧制御回路１５内では制御トランジスタ１７に電流が流れ、ダイオード１６には電流が流れず電力が消費されないため、電池７の電圧Ｖ０から赤外線出力手段３の消費電力分だけ降下した電圧Ｖ２が、駆動回路９に印加されて、発光素子８が操作キー１を背面から照光する。
【００２７】
そして、ダイオード１６と赤外線出力手段３の消費電力は同等となっているため、駆動回路９に印加される電池７の電圧はＶ１＝Ｖ２となり、発光素子８を点灯させる駆動回路９には、操作キー１が操作された場合にも、操作されていない場合と同様の電圧が印加されるように構成されている。
【００２８】
このように本実施の形態によれば、電圧制御回路１５を設け、赤外線出力手段３と同等の消費電力を有するダイオード１６を、マイコン２からの電気信号により接離する制御トランジスタ１７によって制御して、発光素子８を点灯させる駆動回路９には、操作キー１の操作に関わらず常に一定の電圧が印加されるように構成されているため、点灯中に操作キー１を操作しても発光素子８の輝度変化のない、容易に操作が可能なリモコン送信機を得ることができるものである。
【００２９】
そして、電圧制御回路１５は、ダイオード１６と制御トランジスタ１７の二つの電子部品を追加するだけで構成が可能なため、回路等の大幅な変更を伴うことなく、比較的容易で安価に実施することができる。
【００３０】
なお、以上の説明では、電圧制御回路１５にダイオード１６を一つ配置した構成として説明したが、赤外線出力手段３の消費電力によっては、複数のダイオードを直列に接続した構成としてもよい。
【００３１】
また、照光スイッチ１０の操作によって駆動回路９を直接開閉する構成として説明したが、図３の回路図に示すように、照光スイッチ１８をマイコン２に接続すると共に、マイコン２から出力される電気信号を変換して駆動回路９を制御する制御回路１９を設け、照光スイッチ１８の操作によって、マイコン２から予め設定された電気信号を所定時間出力させ、制御回路１９によって駆動回路９を駆動させて、発光素子８を所定時間の間だけ点灯させる構成とすれば、都度照光スイッチ１８を開閉する必要がなくなるため、さらに使い勝手のよいリモコン送信機を得ることができる。
【００３２】
さらに、電圧制御回路１５のスイッチング素子として制御トランジスタ１７を用いたが、これ以外にも、ＦＥＴ或いはアナログスイッチ等を用いてダイオード１６を制御する構成としても、本発明の実施は可能である。
【００３３】
【発明の効果】
以上のように本発明によれば、回路等の大幅な変更を伴うことなく、点灯中に操作キーを操作しても発光素子の輝度変化のない、操作がし易く安価なリモコン送信機を得ることができるという有利な効果が得られる。
【図面の簡単な説明】
【図１】本発明の一実施の形態によるリモコン送信機の回路図
【図２】同部分回路図
【図３】同他の実施の形態による回路図
【図４】従来のリモコン送信機の回路図
【符号の説明】
１  操作キー
２  マイコン
３  赤外線出力手段
４  駆動トランジスタ
５  抵抗
６  ＬＥＤ
７  電池
８  発光素子
９  駆動回路
１０、１８  照光スイッチ
１５  電圧制御回路
１６  ダイオード
１７  制御トランジスタ
１９  制御回路
【図１】
0003826671.tif 000002
【図２】
0003826671.tif 000003
【図３】
0003826671.tif 000004
【図４】
0003826671.tif 000005